(57)【要約】【課題】  交換ユニットの取り付け作業における安全且つ確実な電源遮断が可能な遊技機を提供する。【解決手段】  筐体(1)内部には、交換ユニット(2)を筐体(1)内部に装着する際、交換ユニット(2)の装着のための内部への移動を検知して移動検知信号を出力する移動検知手段(100)と、電源操作スイッチ(300)と、移動検知信号の入力により、電源操作スイッチ(300)を介して、電源ユニット(4)内部の電源をオフ状態にするための電源オフ手段(110)とを備え、交換ユニット(2)を筐体(1)内部へ装着する際、移動検知手段(100)が、交換ユニット(2)の装着のための移動を検知して、移動検知信号を出力し、その移動検知信号の入力により、電源オフ手段(110)が、電源操作スイッチ(300)を介して、電源ユニット(4)の電源をオフ状態にする。【選択図】    図１
2006263215.tif 000002
【特許請求の範囲】
【請求項１】
正面側に開口する正面開口部を有する筐体と、
前記正面開口部を開閉自在に塞ぐために前記筐体に取り付ける前扉と、
前記筐体内部に固定して遊技を行うための部品装置を有する交換ユニットと、
前記部品装置へ電源を供給するための電源ユニットとを備えた分離型の遊技機において、
前記筐体内部には、前記交換ユニットを前記筐体内部に装着する際、前記交換ユニットの装着のための内部への移動を検知して移動検知信号を出力する移動検知手段と、
電源ユニット内部の電源をオン状態とオフ状態とに切り換えるための電源操作スイッチと、
前記移動検知手段からの移動検知信号の入力により、前記電源操作スイッチを介して、電源ユニット内部の電源をオフ状態にするための電源オフ手段とを備え、
前記交換ユニットを前記筐体内部へ装着する際、前記移動検知手段が、前記交換ユニットの装着のための移動を検知して、移動検知信号を出力し、その移動検知信号の入力により、前記電源オフ手段が、前記電源操作スイッチを介して、前記電源ユニットの電源をオフ状態にすることを特徴とする遊技機。
【発明の詳細な説明】
【技術分野】
【０００１】
この発明は、電源が入ったままの状態で交換ユニットを装着することを回避可能な遊技機に関するものである。
【背景技術】
【０００２】
従来、この種の遊技機において、遊技機の電源のオン／オフは、電源ユニットの前面に設けた電源操作スイッチの操作により行っていた（例えば、特許文献１、第１図、特許文献２）。
また、交換ユニットの交換作業における電気的接続作業は、交換可能な交換ユニット内のリールユニット等の装置から延びる電源ケーブルや、制御ケーブルの接続端子を、交換作業者が、筐体内部に固定された接続端子に、手で押し込んで接続しているものが知られている（例えば、特許文献１。）。
すなわち、交換ユニットを筐体から取り外す際には、その前に、交換ユニットから延びる電源ケーブルや制御ケーブルの接続端子を、筐体内部の接続端子から、引き抜いて行っていた。
【０００３】
また、交換ユニットを筐体内部に固定する際には、交換ユニットを筐体内部に移動した後、交換ユニットから延びる電源ケーブルや制御ケーブルの接続端子を、交換作業者が手で持って、筐体内部の接続端子へ、差し込んで接続していた。
【特許文献１】特開２００４−１４１５５９号公報
【特許文献２】特開２００３−４７６８６号公報
【発明の開示】
【発明が解決しようとする課題】
【０００４】
しかし、上記した従来の遊技機では、電源ユニットの前面側の電源操作スイッチのオフ操作を忘れて、交換ユニットを取り付けることがあり得た。このように、電源ユニットの電源操作スイッチをオンにした状態で、制御装置のケーブル等のコネクターを取り付けると、取り付け位置や取り付け方向の間違いにより不正常な端子同士が接触して、過電流が発生するような場合があった。このようなやり方は、異常電圧や異常電流の発生を促し、各種電子部品に故障の原因になるといった問題点があった。
そこで、各請求項にそれぞれ記載された各発明は、上記した従来の技術の有する問題点に鑑みてなされたものであり、その目的とするところは、次の点にある。
【０００５】
（請求項１）  請求項１記載の発明は、上記した従来の技術の有する問題点に鑑みてなされたものであり、その目的とするところは、交換ユニットの取り付け作業における安全且つ確実な電源遮断が可能な遊技機を提供しようとするものである。
【課題を解決するための手段】
【０００６】
（請求項１）  請求項１記載の発明は、次の点を特徴とする。すなわち、正面側に開口する正面開口部(11)を有する筐体(1)と、前記正面開口部(11)を開閉自在に塞ぐために前記筐体(1)に取り付ける前扉(3)と、前記筐体(1)内部に固定して遊技を行うための部品装置を有する交換ユニット(2)と、前記部品装置へ電源を供給するための電源ユニット(4)とを備えた分離型の遊技機(S)において、前記筐体(1)内部には、前記交換ユニット(2)を前記筐体(1)内部に装着する際、前記交換ユニット(2)の装着のための内部への移動を検知して移動検知信号を出力する移動検知手段(100)と、電源ユニット(4)内部の電源をオン状態とオフ状態とに切り換えるための電源操作スイッチ(300)と、前記移動検知手段(100)からの移動検知信号の入力により、前記電源操作スイッチ(300)を介して、電源ユニット(4)内部の電源をオフ状態にするための電源オフ手段(110)とを備え、前記交換ユニット(2)を前記筐体(1)内部へ装着する際、前記移動検知手段(100)が、前記交換ユニット(2)の装着のための移動を検知して、移動検知信号を出力し、その移動検知信号の入力により、前記電源オフ手段(110)が、前記電源操作スイッチ(300)を介して、前記電源ユニット(4)の電源をオフ状態にすることを特徴とする。
【０００７】
（作用）  本発明は、前記交換ユニット(2)を前記筐体(1)内部へ装着する際、前記交換ユニット(2)の装着のための移動に伴って、移動検知手段(100)が、交換ユニット(2)の装着のための移動を検知する。そして、交換ユニット(2)の移動を検知した移動検知手段(100)は、移動検知信号を出力する。そして、電源オフ手段(110)が、移動検知手段(100)からの移動検知信号の入力により、電源操作スイッチ(300)を介して、電源ユニット(4)の電源をオフ状態にする。このため、交換ユニット(2)を筐体(1)内部に装着する場合には、必ず、電源ユニット(4)の電源をオフ状態にすることができる。これにより、誤って電源ユニット(4)の電源をオン状態のまま、交換ユニット(2)を筐体(1)内部に装着することを回避することができる。
【０００８】
結果として、交換ユニット(2)の交換作業の際、誤って、電源ユニット(4)の電源をオンにした状態のままで、交換作業を行って、配線等を行い、部品装置が壊れるようなことや、交換作業者が誤って感電するようなことを回避することができる。これにより、交換ユニット(2)の脱着作業時の安全且つ確実な電源遮断が可能となる。
【発明の効果】
【０００９】
本発明は、以上のように構成されているので、以下に記載されるような効果を奏する。
（請求項１）  請求項１記載の発明によれば、次のような効果を奏する。すなわち、請求項１記載の発明によれば、交換ユニットの取り付け作業における安全且つ確実な電源遮断が可能な遊技機を提供することができる。
【発明を実施するための最良の形態】
【００１０】
（図面の説明）  図１は交換ユニットを装着していない状態の筐体の外観斜視図、図２は交換ユニットの外観斜視図、図３はガイドローラー、ガイド及び移動検知手段の外観斜視図、図４は移動検知手段の縦断面図、図５及び図６は移動検知手段、電源オフ手段及び電源操作スイッチの概略配線図、図７は上扉、下扉、交換ユニット及び筐体を分解した状態の外観斜視図、図８は上扉及び下扉を筐体から取り外した状態の遊技機の外観斜視図、図９は交換ユニットを筐体内部に差し込もうとしている状態の概略縦断面図、図１０（ａ），（ｂ）はユニットコネクター及び筐体コネクターの概略側面図であって、（ａ）はユニットコネクターを、筐体コネクターに接続しようとしている状態の概略側面図、（ｂ）はユニットコネクターを、筐体コネクターに接続した状態の概略側面図、図１１及び図１２はユニット側支持部材からユニットコネクターを取り外している状態の外観斜視図をそれぞれ示すものである。
【００１１】
（遊技機S）  本実施の形態に係る遊技機Sは、具体的には、スロットマシンであって、大きく分けて、正面側に開口する正面開口部11を有する筐体1、筐体1内部に着脱自在に設けられる交換ユニット2、筐体1の正面開口部11を開閉可能に塞ぐための前扉3とから構成されている。そして、筐体1の正面開口部11は、筐体1の上部に開口する開口上部13と、筐体1の下部に開口する開口下部14とを備えている。そして、前記前扉3は、筐体1の開口上部13を開閉可能に塞ぐための上扉30と、筐体1の開口下部14を開閉可能に塞ぐための下扉40とを備えている。そして、交換ユニット2の手前側には、上扉30が取り付けられてあり、この交換ユニット2及び上扉30により、上扉30の裏に交換ユニット2を取り付けて、両者が一体となった扉一体型交換ユニット6を形成している。すなわち、通常のいわゆる新台入れ替えの際には、交換ユニット2及び上扉30が一体となった扉一体型交換ユニット6毎に入れ替えることができるものである。もちろん、交換ユニット2から上扉30は、枠体係合部60から上扉係合部61を抜くだけで簡単に外すことができるため、新台入れ替えの際、上扉30は、そのままで、交換ユニット2だけを交換することもできる。
【００１２】
なお、ここで、「前方向」や「手前方向」とは、交換作業者（或いは遊技者）が、遊技機Sの正面側の前に遊技機Sの方に顔を向けて座って、或いは、立っているような場合のかかる交換作業者（或いは遊技者）から見た場合の奥から手前への方向を意味する。したがって、前方向や手前方向とは、遊技機Sの奥から正面へ向かう方向を意味する。また、「後方向」とは、交換作業者（或いは遊技者）が、遊技機Sの正面側に遊技機Sの方を向いて位置しているような場合のかかる交換作業者（或いは遊技者）から見たときの手前から奥への方向を意味する。したがって、後方向とは、遊技機Sの正面から奥（後ろ）へ向かう方向を意味する。また、本明細書における「左方向」や「右方向」等の左右方向も、かかる遊技機Sの前面の方を向いて位置している者から見た場合の右方向や、左方向を意味する。
【００１３】
（筐体1）  上記筐体1は、全体形状が略箱状であって、底面に配置した底板15と、この底板15の左右端縁から上方に向かって設けられた左右の側板16と、この側板16の上端間に渡した天板17と、左右の側板16の後側の端面間に渡して、裏側を塞ぐ奥板18とからなる正面側に開口するものである。すなわち、底板15と、その左右の側板16と、天板17とにより、四角枠状の四角枠部材19を形成し、この四角枠部材19の正面側に正面開口部11が開口し、四角枠部材19の奥側を奥板18が塞いでいるものである。そして、この筐体1の高さ方向略中央部には、二つの側板16の間に水平方向に中板12が渡してある。そして、この中板12は、扉一体型交換ユニット6を筐体1の奥側内部に案内するためのガイド80を左右側部に備えている。また、中板12は、金属板からなるものである。
【００１４】
そして、中板12の下面には、各部品に電気を供給するための電源ユニット4が固定されている。そして、底板15の上面には、投入された遊技媒体を貯留するとともに受け皿43に遊技媒体を払い出し可能なホッパーユニットとも呼ばれる払い出し装置5が固定されている。
そして、電源ユニット4の外側表面には、電源ユニット4から遊技機内部の各部品へ供給する電源をオン状態とオフ状態とに切り換えるための電源操作スイッチ300や、遊技店側が種々の設定を行うための設定スイッチ等の操作部を有している。ここで、電源ユニット4の電源がオン状態とは、電源ユニット4の電源から遊技機S内部の各部品装置へ電力が供給されている状態を意味している。また、電源ユニット4の電源がオフ状態とは、電源ユニット4の電源から遊技機S内部の各部品装置へ電力が供給されていない状態を意味している。
【００１５】
上記電源ユニット4及び払い出し装置5は、交換ユニット2の交換に際し、必ずしも交換する必要のないものであり、交換時には設置されたままにしておけるようになっているものである。
また、側板16の正面左側の下部には、前記下扉40を係合させ、回転自在に支持するための本体係合部62が、上下方向に間隔をおいて二つ設けられている。
さらに、正面から向かって右側の側板16には、下扉40を閉めた際、下扉40をロックするためのロック突出片69（図８）が、上下方向に間隔をおいて二つ設けられている。
前記筐体1の奥板18の前面には、交換ユニット2以外の筐体1内部に固定する筐体1内部の部品装置へ制御信号を伝達可能な筐体コネクター90が固定されている。この筐体コネクター90は、筐体1内部の奥側の奥板18に前方向に臨むように固定されている。すなわち、この筐体コネクター90は、ユニットコネクター200に接続することにより、交換ユニット2の各部品へ電力や、制御信号を供給するために前方向に接続突起が臨むように配置されている。
【００１６】
具体的には、この筐体コネクター90は、金属板からなる筐体側支持部材230を介して奥板18の前面側に固定されている。この筐体コネクター90は、交換ユニット2の後面に設けられたユニットコネクター200が差し込まれることにより、筐体コネクター90及びユニットコネクター200の間が電気的に接続状態となるものである。この筐体コネクター90は、交換ユニット2を筐体1の内部後方へ向かって押し込むだけで、ユニットコネクター200が筐体コネクター90に差し込まれるような位置に設定されている。
また、筐体1の左右の側板16の内面側には、交換ユニット2の左右のフック部36を引っかけて係合可能な係合クリップ35が固定されている。このフック部36及び係合クリップ35により、交換ユニット2を筐体1に固定するための固定装置10を形成しているものである。
【００１７】
（電源ユニット4）  前記電源ユニット4は、遊技機S内部の部品装置へ電源を供給するためのものである。この電源ユニット4は、中板12の下面に固定されている。この電源ユニット4内部の電源をオン状態又はオフ状態に切り換え可能な電源操作スイッチ300を備えている。
（電源操作スイッチ300）  前記電源操作スイッチ300は、電源ユニット4内部から各部品への電力を供給するための電源ユニット4内部の電源を、オン状態と、オフ状態とに切り換えるための操作スイッチである。この電源操作スイッチ300の操作により電源ユニット4内部の電源をオン状態にすると、電源ユニット4から電源供給としての電気信号が、遊技機S内部の各部品へ送出される。そして、この電源操作スイッチ300の操作により電源ユニット4内部の電源をオフ状態にすると、電源ユニット4から電源供給としての電気信号が、遊技機S内部の各部品へ送出されないように形成されている。
【００１８】
この電源操作スイッチ300は、作業者が、正面開口部11から手を差し込んで、自らの手の指で操作してオン状態とオフ状態とを切り換え可能である。さらに、この電源操作スイッチ300は、電源ユニット4内部に配置されている電源オフ手段110を有するリセット機能付きスイッチ130により、作業者が直接、操作しないで、オン状態をオフ状態に切り換えることができるように形成されている。
この電源操作スイッチ300は、正面から向かって左側の部分が突出して右側の部分が引っ込んでいる状態の場合、電源ユニット4の電源がオン状態となるものである。そして、左側の部分が引っ込んで、右側の部分が突出している状態の場合、電源ユニット4の電源がオフ状態となるものである。なお、電源操作スイッチ300の左側の部分と、右側の部分とは、全体形状として略Ｍ字状の一体に形成されているものであって、その略中央で、回転可能に軸支されているものである。
【００１９】
（ガイド80）  上記ガイド80は、交換ユニット2を筐体1の奥側内部に案内するためのものである。このガイド80は、中板12の左右に位置して、前後方向に形成された２本の帯板レール状のものである。そして、交換ユニット2の下部に配置されたガイドローラー140が、ガイド80の内部を回転移動可能に形成されているものである。
そして、正面から向かって左側のガイド80の途中には、交換ユニット2を筐体1内部に装着する際、交換ユニット2の装着のための内部への移動を検知して移動検知信号を出力する移動検知手段100が形成されている。
（移動検知手段100）  前記移動検知手段100は、左側のガイド80の前後方向の途中に位置して、交換ユニット2を筐体1内部に装着する際、交換ユニット2の装着のための内部への移動を検知して移動検知信号を出力するためのものである。そして、この移動検知信号が入力された電源オフ手段110が、電源ユニット4内部の電源をオン状態からオフ状態へ切り換える。したがって、この移動検知手段100は、電源ユニット4の電源供給がオン状態のときに、作動した場合、電源ユニット4の電源供給をオフ状態にリセットするリセット作動スイッチ101としての機能を奏するものである。
【００２０】
この移動検知手段100は、略正方形の四角板状の押さえ板102と、この押さえ板102の下面の中央から下方に突出する下突出板108とを備えている。そして、ガイド80の底面には、押さえ板102の寸法形状より僅かに大きな四角柱状の孔である幅大孔122が形成され、この幅大孔122の下面には、下突出板108が上下方向に進退するための円筒状の孔である幅小孔123が形成されている。そして、下突出板108と、幅小孔123との間には、下突出板108の周囲を覆うようにコイル状のばね103が嵌め込まれている。そして、前記下突出板108の中央付近には、左右方向に貫通するガイド溝109が形成されている。そして、幅小孔123の周囲からガイド溝109の内部に向かって突出するガイドピン121が形成されている。このガイドピン121がガイド溝109の内部にあることにより、下突出板108が左右にぶれることなく、上下方向に進退させることが可能なものである。そして、下突出板108の下端には、上接続端子104が形成され、この上接続端子104からは、上ケーブル106が電気的に接続されている。また、幅小孔123の下端には、前記上接続端子104に当選可能な下接続端子105が固定されている。そして、この下接続端子105からは、下ケーブル107が電気的に接続されている。交換ユニット2を装着する際、交換ユニット2のガイドローラー140が、押さえ板102の上面に位置すると、押さえ板102がばね103の付勢力に抗して下方に押し込まれる。その際、上接続端子104と、下接続端子105とが当接して、上ケーブル106から下ケーブル107へ電気が導通する。これにより、上ケーブル106から下ケーブル107へ移動検知信号が流れて、交換ユニット2の内部への移動を検知することができるように形成されているものである。
【００２１】
（電源オフ手段110）  前記電源オフ手段110は、リセット作動スイッチ101としての役割を有する移動検知手段100からの移動検知信号の入力により、電源操作スイッチ300を介して、電源ユニット4内部の電源をオフ状態にするためのものである。
すなわち、交換ユニット2を筐体1内部へ装着する際、移動検知手段100が、交換ユニット2の装着のためのガイドローラー140の移動を検知して、移動検知信号を出力する。そして、電源オフ手段110が、かかる移動検知手段100からの移動検知信号の入力により、電源操作スイッチ300を介して、電源ユニット4の電源をオフ状態にするものである。
この電源オフ手段110と、電源操作スイッチ300とは、全体として、リセット機能付きスイッチ130を構成しているものである。このリセット機能付きスイッチ130としては、スイッチ接点とこのスイッチ接点を開放させる電磁ソレノイドとを備えたスイッチを用いることができる。すなわち、リセット機能付きスイッチ130は、スイッチ接点としての電源操作スイッチ300を有している。そして、リセット作動スイッチからのリセット信号（移動検知信号）が電磁ソレノイドに入力されることにより、電磁ソレノイドが、スイッチ接点としての電源操作スイッチ300を開放させるものである。すなわち、移動検知手段100（リセット作動スイッチ101）からの移動検知信号（リセット信号）により、電磁ソレノイドが作動する。この電磁ソレノイドは、スイッチ接点としての電源操作スイッチ300と機構的に連動しており、電磁ソレノイドが作動すると、スイッチ接点としての電源操作スイッチ300が開放されて、オフ状態（いわゆる「切）の状態）となるものである。
【００２２】
このように電源オフ手段110は、特に図示していないが、電磁ソレノイド、電源操作スイッチ300と連動する鉄片、永久磁石、鉄片に接続する復帰ばね、鉄心等を有しているものである。電源操作スイッチ300を手動操作してオン状態にすることにより、電源操作スイッチ300と連動する鉄片を、永久磁石により鉄心と吸着させ、電源操作スイッチ300のオン状態を維持するものである。そして、リセット作動スイッチ101（移動検知手段100）からのリセット信号（移動検知信号）が電磁ソレノイドに入力されて電磁ソレノイドが作動すると、復帰ばねにより、リセットされる。すなわち、電源操作スイッチ300がオフ状態となるものである。
【００２３】
結果として、このリセット機能付きスイッチ130は、電源操作スイッチ300がオン状態の場合、リセット作動スイッチ101としての移動検知手段100から、リセット信号としての移動検知信号が入力されると、電源操作スイッチ300をオフ状態にリセットすることができるものである。なお、このリセット機能付きスイッチ130は、電源操作スイッチ300がオフ状態の場合、リセット作動スイッチ101としての移動検知手段から、リセット信号としての移動検知信号が入力されても、電源操作スイッチ300はオフ状態のままを維持することができるように形成されている。従って、電源操作スイッチ300をオフ状態にして、交換ユニット2を引き出す場合には、交換ユニット2のガイドローラー140が押さえ板102を押下して、リセット信号としての移動検知信号が出力されても、電源操作スイッチ300はオフ状態を保ったままで、オン状態に切り換わることはない。これにより、交換ユニット2の交換作業をより安全なものにすることができるものである。
【００２４】
（扉一体型交換ユニット6）  上記扉一体型交換ユニット6は、遊技ホールにおける、いわゆる新台入れ替えの際、遊技内容を変更するために筐体1に対して交換可能に形成されているものである。この扉一体型交換ユニット6は、交換ユニット2と、この交換ユニット2の手前側に開閉可能に取り付けられた上扉30とから形成されているものである。この交換ユニット2及び上扉30は、両者が一体となった状態で、筐体1から取り外し、また、取り付けることができるように形成されている。なお、交換ユニット2から上扉30を取り外せば、いわゆる新台入れ替えの際、上扉30はそのまま交換せずに、交換ユニット2だけを交換することができる。このように、交換ユニット2だけの取り付けや、取り外しも可能となるように形成されている。
【００２５】
（交換ユニット2）  上記扉一体型交換ユニット6の交換ユニット2は、筐体1に着脱自在に取り付けられているものである。
前記交換ユニット2は、リールユニット20及び基板ユニット24を装着するための四角枠状の部材を組み合わせた枠21を備えている。すなわち、リールユニット20及び主制御装置25は、これらを装着するための枠21を介して、交換ユニット2に組み込まれているものである。交換ユニット2は、前記枠21の下部に固定されたリールユニット20と、枠21の上部奥側に固定された基板ユニット24とを備えている。
ここで、リールユニット20は、周囲に複数の図柄を表示した３個の回転リール23と、特に図示しないが、それぞれの回転リール23を回転させるための駆動モータを有している。また、前記基板ユニット24は、回転リール23の回転等を制御するための主制御装置25が透明樹脂からなる四角箱状の基板ケース26の内部に収納されているものである。
【００２６】
前記枠21の正面左側の縦枠には、前記上扉30を回転自在に係合するための軸を有する枠体係合部60が、上下方向に間隔をおいて二つ設けられている。なお、この枠体係合部60の軸に、円筒状の円筒部を有する上扉係合部61を上から嵌め込むことにより、上扉30を、かかる軸を中心として回転可能に軸支することができるように形成されている。
さらに、枠21の正面右側の縦枠には、上扉30を閉めた際、上扉30をロックするためのロック突出片69が、上下方向に間隔をおいて二つ設けられている。このように、枠21の左側の枠体係合部60と、枠21の右側のロック突出片69とにより、上扉30が枠21に回動可能に固定され、両者を一体のものにすることができる。
【００２７】
前記交換ユニット2の後面には、前記筐体コネクター90の接続突起が差し込み可能となるように後方に向かって臨むユニットコネクター200が形成されている。このユニットコネクター200は、筐体コネクター90と連結して、交換ユニット2内部の部品装置へ電気信号を伝達可能なものである。なお、ここで、この電気信号には、電源電線を介する電源供給としての電気信号と、信号線を介する制御信号からなる電気信号との両方が含まれる。そして、このユニットコネクター200は、交換ユニット2の背面に固定されて、交換ユニット2を筐体1内部に取り付けた状態のときに筐体コネクター90と接合する位置に形成されている。そして、このユニットコネクター200には、ユニットコネクター200から基板ユニット24やリールユニット20へ制御信号を伝達又は電力を供給するためのユニットケーブル201が接続されている。
【００２８】
前記交換ユニット2の枠21の前面側の左右には、筐体1の係合クリップ35に係合可能なフック状のフック部36が固定されている。このフック部36を筐体1の内部左右の係合クリップ35に引っかけることにより、交換ユニット2を筐体1内部に固定することができるものである。すなわち、このフック部36及び係合クリップ35は、交換ユニット2の固定装置10としての役割を有するものである。
（上扉30）  上記上扉30は、筐体1の開口上部13の開閉を行うための扉であって、交換ユニット2の枠21に回転自在かつロック可能に形成されている板状の扉である。そして、上扉30は、略中央部に前記回転リール23の図柄を正面側から見ることができる図柄表示窓31を有し、周囲に飾り部33が設けられ、種々の表示を行うための表示装置32が設けられているものである。
【００２９】
さらに、上扉30の左側の裏面には、前記枠体係合部60の軸に係合可能な円筒状の円筒部を有する上扉係合部61が上下方向に間隔をおいて二つ設けられている。そして、上扉30の右側の裏面には、扉ロック機構7が設けられている。そして、上扉30の裏面上部の左右には、種々の音声を出力するためのスピーカ49が設けられている。
（下扉40）  上記下扉40は、筐体1の開口下部14を開閉自在に塞ぐための、上扉30よりも幅厚の扉であり、筐体1の側板16に回転自在かつロック可能に形成されているものである。
前記下扉40の上部は、遊技機Sを作動させるための操作部41となっており、下扉40の上面は、閉扉時においては、上扉30よりも前側に突出するようになっている。また、下部には払い出されたメダルを溜めておくための箱状の受け皿43が形成されており、下扉40の略中央部には、遊技内容その他の案内表示をするための前パネル50が嵌め込まれている。
【００３０】
前記操作部41としては、下扉40の上面右端には媒体投入口42と、上面左側に設けられたベットスイッチと、正面側にはレバー式のスタートスイッチと、ボタン式のストップスイッチと、鍵穴44とが設けられている。なお、ベットスイッチとは、貯留メダルをメダル投入に代えるためのものであり、スタートスイッチ及びストップスイッチは、回転リール23の回転を開始及び停止させるためのものである。また、鍵穴44は、前扉3を解錠するためのものであり、この穴に所定の鍵を差し込んで回すと、下扉40の扉ロック機構7のロックが解除されるものである。
さらに、下扉40の裏面側には、前記媒体投入口42から投入された遊技媒体を誘導しながら遊技媒体の正偽を判断するための媒体セレクター48が設けられている。
【００３１】
また、下扉40の左側の裏面には、前記本体係合部62と係合可能な下扉係合部63が上下方向に間隔をおいて二つ設けられている。そして、下扉40の右側の裏面には、筐体1のロック突出片69にロック可能なアンカー状のものを有する扉ロック機構7が設けられている。
なお、この下扉40は、上扉30の下部の前側を、前側から覆うような状態で、ロックされる。したがって、上扉30を閉じた状態で、下扉40を閉じた場合、下扉40を開けることなく、上扉30だけを開くことはできないように形成されている。
（筐体コネクター90）  前記筐体コネクター90は、交換ユニット2以外の筐体1内部に固定する筐体1内部の部品装置、具体的には、払い出し装置5や、電源ユニット4等へ電気信号を伝達可能なものである。この筐体コネクター90は、筐体1の奥板18の前面側に支持部材210を介して設けてあるものである。そして、この筐体コネクター90は、筐体1の正面開口部11の内部の奥に位置して、交換ユニット2へ電気信号を出力するため、或いは、交換ユニット2からの電気信号を入力するために前方向に向かって臨むものである。具体的には、この筐体コネクター90は、前方向に向かって延びる複数の接続突起を有している。そして、この接続突起は、交換ユニット2を後方へ押し込むことで、ユニットコネクター200の複数の接続孔に、差し込まれるような位置に形成されている。そして、この筐体コネクター90から延びた筐体ケーブル91は、電源ユニット4や、払い出し装置5と接続されている。筐体コネクター90及びユニットコネクター200が接続状態となることにより、主制御装置25からの制御信号が、払い出し装置5等に出力され、また、電源ユニット4からの電力が、リールユニット20や、主制御装置25へ供給されるものである。
【００３２】
この筐体コネクター90は、筐体側支持部材230を介して、奥板18に固定されている。本実施の形態に係る筐体側支持部材230は、筐体コネクター90の固定位置が移動しないように固定するタイプのものである。しかし、筐体側支持部材230は、特にこのタイプに限定されるものではなく、ユニット側支持部材220のユニット側支持片221のように所定方向に変形可能なタイプのものに形成しても良い。
（ユニットコネクター200）  前記ユニットコネクター200は、筐体コネクター90と連結して、交換ユニット2内部に部品装置へ電気信号を伝達可能なものである。なお、ここで、この電気信号には、電源供給としての電気信号と、制御信号からなる電気信号とのいずれも含むものである。そして、ユニットコネクター200は、交換ユニット2の奥側に位置して、筐体コネクター90に接続可能なものである。交換ユニット2を筐体1の正面開口部11の手前から奥に向かって差し込むと筐体1側の筐体コネクター90と、交換ユニット2のユニットコネクター200とは水平方向に沿って連結するように形成されている。
【００３３】
そして、このユニットコネクター200の取り付け位置は、交換ユニット2を筐体1内部のガイド80に沿って、後方向に押し込むと、筐体1の奥の筐体コネクター90と接続するような位置に固定されている。そして、このユニットコネクター200から交換ユニット2内部の各部品、すなわち、主制御装置25や、リールユニット20へユニットケーブル201が配線されている。
したがって、遊技者は、交換ユニット2の交換作業において、ユニットコネクター200と、筐体コネクター90とを、直接、手で持って両者を差し込んで接続する作業や、或いは、両者を引き離して接続の解除作業を行う必要がない。すなわち、交換ユニット2を筐体1の正面開口部11内部へ押し込むことにより、筐体コネクター90及びユニットコネクター200の接続作業を行うことができ、また、交換ユニット2を筐体1の正面開口部11から前方向へ引き出すことにより、筐体コネクター90及びユニットコネクター200の接続解除の作業を行うことができる。
【００３４】
そして、ユニットコネクター200は交換ユニット2の差し込む方向に対して垂直面方向に変形可能な支持部材210によって交換ユニット2の枠21に固定されている。この支持部材210は、交換ユニット2の枠21に固定される薄板金属の帯板状からなるユニット側支持本体222と、ユニット側支持本体222から外方に延びてユニットコネクター200を保持するユニット側支持片221とを備えている。
前記ユニット側支持本体222は、表裏に開口する二つのコネクター固定孔225が形成されている。このコネクター固定孔225に、ユニットコネクター200が差し込まれるように形成されている。そして、ユニット側支持本体222を交換ユニット2に取り付け、且つ交換ユニット2を筐体1に取り付けた状態で、このコネクター固定孔225の左右の両縁から、前記ユニット側支持片221が奥板18側に向かって延びるように形成されている。このユニット側支持片221は、金属薄板からなり、全体形状が略台形状に形成されてあり、その先端側には、ユニットコネクター200を固定するためのナットが溶接されている。すなわち、ユニットコネクター200は、かかるユニット側支持片221の先端において、ボルトからなる締結部材により固定されているものである。そして、このユニット側支持片221は、薄板金属からなるため、水平方向（左右横方向）に対して、簡単に変形しやすいように形成されている。すなわち、ユニットコネクター200の支持部材210は、交換ユニット2を差し込む方向に対して垂直な面内の中で水平方向に変形可能に形成されているものである。これにより、ユニットコネクター200の水平方向（左右横方向）への移動が容易に行われ、水平方向への移動による位置調整の微調整を簡単に行うことができるものである。
【００３５】
なお、ここで、ユニット側支持片221は、コネクター固定孔225の左右縁に形成しているが、特にこれに限定されるものではない。具体的には、例えば、ユニット側支持片221を、コネクター固定孔225の上下の縁に形成しても良いものである。このようにユニット側支持片221を、上下縁に形成すると、ユニット側支持片221は上下方向、すなわち縦方向に対して、簡単に変形することができる。すなわち、ユニットコネクター200の支持部材210は、交換ユニット2を差し込む方向に対して垂直な面内の中で縦方向に変形可能に形成されているものである。これにより、ユニットコネクター200の縦方向（上下方向）への移動が容易に行われ、縦方向への移動による位置調整の微調整を簡単に行うことができるものである。
【００３６】
（ユニット内接続端子240）  前記ユニット内接続端子240は、ユニットコネクター200の手前側に位置して、ユニットコネクター200の下面となる上下方向の位置に、交換ユニット2内の電気部品（リールユニット20や、基板ユニット24等）からのユニットケーブル201を接続するためのものである。
本実施の形態は、ユニット内接続端子240を、ユニットコネクター200の手前側の下面の位置に設けている。このため、ユニット内接続端子240を設けた以外の部分、すなわち、ユニット内接続端子240を設けたユニットコネクター200の手前側の下面を除いた部分に、手前側から見て、障害物となるようなケーブルや接続端子等の配置を排除することができる。これにより、筐体コネクター90及びユニットコネクター200の連結部及びその周囲の隠れる部分を少なくすることができて、コネクター周辺に不正操作を行うような、いわゆるゴト行為の発見を容易なものにすることができる。
【００３７】
（交換ユニット2の取り付け手順）  交換ユニット2の取り付け手順を説明する。
（１）交換ユニット2を中板12に載せてガイド80に沿って滑らせながら筐体1の奥の所定位置まで押し込む。
（２）その際、電源ユニット4の電源がオン状態になっている場合、交換ユニット2下部のガイドローラー140が、移動検知手段100の押さえ板102を押下して、移動検知信号を、電源オフ手段110へ出力する。これにより、電源ユニット4の電源がオフ状態となる。なお、電源ユニット4の電源が既にオフ状態になっている場合は、オフ状態をそのまま維持する。
【００３８】
（３）更に、交換ユニット2を押し込みながら、筐体コネクター90をユニットコネクター200に接続する。交換ユニット2を押し込むだけで、筐体コネクター90及びユニットコネクター200の接続が完了する。
（４）交換ユニット2のフック部36を、筐体1の係合クリップ35に引っかけて、両者を係合状態にする。これにより、交換ユニット2のロックが完了する。
（交換ユニット2の取り外し手順）  交換ユニット2を筐体1から取り外す手順を説明する。
（１）遊技者の手の指により、オン状態になっているいる電源操作スイッチ300を押して、オフ状態にする。
【００３９】
（２）交換ユニット2のフック部36を、筐体1の係合クリップ35から取り外し、交換ユニット2のロック状態を解除する。これにより、交換ユニット2のロックが解除される。
（４）交換ユニット2を手前側に引いて、ユニットコネクター200を筐体コネクター90から外す。なお、この際に、ガイドローラー140が押さえ板102を押下しても、電源ユニット4の電源がオフ状態の場合は、そのままオフ状態を維持する。
（５）交換ユニット2をそのまま手前に引き出して取り外しが完了する。
（作用）  本実施の形態において、筐体コネクター90は、筐体1の奥板18の前面側に設けられ、ユニットコネクター200は、交換ユニット2の奥側に位置し、筐体コネクター90に接続可能に形成されている。そして、交換ユニット2を筐体1の正面開口部11の手前から奥に向かって差し込むと、筐体コネクター90及びユニットコネクター200は水平方向に沿って連結するように形成されている。
【００４０】
このため、交換ユニット2を正面開口部11の手前から奥に向かって、差し込むだけで、交換ユニット2の奥側に位置するユニットコネクター200を、筐体1の奥板18の前面側の筐体コネクター90に連結することができる。これにより、交換ユニット2からのユニットコネクター200を、手で、筐体コネクター90にそれぞれ接続するようなものと比較して、交換ユニット2を筐体1の正面開口部11内部に差し込むだけで、接続作業も終了させることができる。
また、交換ユニット2を正面開口部11の奥側から手前側に向かって、引っ張り出すだけで、交換ユニット2の奥側に位置するユニットコネクター200を、筐体1の奥板18の前面側の筐体コネクター90から引き離して、接続状態を解除することができる。これにより、ユニットコネクター200を、手で、筐体コネクター90から引き抜くようなものと比較して、交換ユニット2を筐体1の正面開口部11から引き出すだけで、接続解除作業を終了させることができる。
【００４１】
したがって、交換ユニット2の交換作業におけるユニットコネクター200と筐体コネクター90との接続作業や接続解除作業を容易なものにすることができ、結果として、交換ユニット2の交換作業を容易なものにすることができる。また、接続するコネクター同士が複数個存在しても、対応するコネクターの位置は、筐体1及び交換ユニット2で予め固定されているため、接続するコネクター同士の組み合わせを間違えるようなことを回避することができ、また、複数のコネクターの連結を、一度に終了させることができて、連結作業を確実且つ効率的に行うことができる。
そして、支持部材210のユニット側支持部材220が、ユニットコネクター200を交換ユニット2に固定している。そして、このユニット側支持部材220は、ユニット側支持片221により交換ユニット2を差し込む方向に対して垂直面方向（具体的には、水平方向）に変形可能に形成されている。このため、かかるユニット側支持部材220のユニット側支持片221が水平方向に変形することにより、ユニットコネクター200を、水平方向に移動させることができる。これにより、交換作業におけるコネクター同士の連結作業において、交換ユニット2を筐体1の正面開口部11内部に差し込んだ際、筐体コネクター90及びユニットコネクター200の位置が完全に整合しておらず、僅かに横方向にずれているような場合であっても、筐体1と、交換ユニット2との位置関係を移動させることなく、ユニットコネクター200を、左右方向、すなわち横方向に移動させて、筐体コネクター90及びユニットコネクター200の両者の位置が完全に整合して、正確に連結するように微調整することができる。これにより、コネクター同士の接続位置の微調整も容易に行うことができて、交換ユニット2の交換作業におけるコネクターの接続作業を更に容易なものにすることができ、結果として、交換ユニット2の交換作業を更に容易なものにすることができる。
【００４２】
しかも、交換ユニット2は、ガイド80により上下方向の移動は制限されている。また、交換ユニット2は、正面開口部11の内部に、左右方向に対しても略隙間なくはめ込まれているため、交換ユニット2を前方向に移動させる場合、上下左右にぶれることなく、真っ直ぐに前方向へ或いは、後方向へ移動させることができる。これにより、手で、筐体コネクター90や、ユニットコネクター200に相当するものを、引き離すような場合と比較して、筐体コネクター90及びユニットコネクター200を上下左右にぶれることなく、直線上に沿って真っ直ぐ引き離すことができ、各コネクター内部の接続突起を、上下左右に曲げて損耗したり、損傷させるようなことを回避することができ、筐体コネクター90及びユニットコネクター200が損耗等を原因として接続不良となるような故障の発生を抑えることができる。
【００４３】
更に、ユニット側支持部材220が、水平方向に移動可能であるため、交換ユニット2を取り付け、取り外し作業の途中において、交換ユニット2と、筐体1との間に異なる方向の力が加わって、交換ユニット2と、筐体1とが異なる方向に移動しても、その力がユニットコネクター200と筐体コネクター90との間の接続箇所に集中することを回避することができる。すなわち、ユニット側支持部材220が、かかる力が接続箇所に集中することを防ぎ、緩衝材としての役割を果たすものである。これにより、かかる場合のユニットコネクター200及び筐体コネクター90の接続箇所が破損することを回避することができる。
また、前記交換ユニット2を前記筐体1内部へ装着する際、前記交換ユニット2の装着のための移動に伴って、ガイドローラー140が移動検知手段100の押さえ板102を下方に押下して、下接続端子105及び上接続端子104が当接して一時的に導通状態となる。これにより、移動検知手段100が、交換ユニット2の装着のための移動を検知する。そして、交換ユニット2の移動を検知した移動検知手段100は、導通状態となったことにより、移動検知信号（リセット信号）を出力する。そして、電源オフ手段110の電磁ソレノイドが作動して、電源操作スイッチ300を開放状態とする。すなわち、電源オフ手段110が、移動検知手段100からの移動検知信号の入力により、電源操作スイッチ300を介して、電源ユニット4の電源をオフ状態にする。このため、交換ユニット2を筐体1内部に装着する場合には、必ず、電源ユニット4の電源をオフ状態にすることができる。これにより、誤って電源ユニット4の電源をオン状態のまま、交換ユニット2を筐体1内部に装着することを回避することができる。
【００４４】
結果として、交換ユニット2の交換作業の際、誤って、電源ユニット4の電源をオンにした状態のままで、交換作業を行って、配線等を行い、部品装置が壊れるようなことや、交換作業者が誤って感電するようなことを回避することができる。これにより、交換ユニット2の脱着作業時の安全且つ確実な電源遮断が可能となる。
【図面の簡単な説明】
【００４５】
【図１】交換ユニットを装着していない状態の筐体を示す外観斜視図である。
【図２】交換ユニットを示す外観斜視図である。
【図３】ガイドローラー、ガイド及び移動検知手段を示す外観斜視図である。
【図４】移動検知手段を示す縦断面図である。
【図５】移動検知手段、電源オフ手段及び電源操作スイッチを示す概略配線図である。
【図６】移動検知手段、電源オフ手段及び電源操作スイッチを示す概略配線図である。
【図７】上扉、下扉、交換ユニット及び筐体を分解した状態を示す外観斜視図である。
【図８】上扉及び下扉を筐体から取り外した状態の遊技機を示す外観斜視図である。
【図９】交換ユニットを筐体内部に差し込もうとしている状態を示す概略縦断面図である。
【図１０】（ａ），（ｂ）はユニットコネクター及び筐体コネクターの概略側面図であって、（ａ）はユニットコネクターを、筐体コネクターに接続しようとしている状態を示す概略側面図、（ｂ）はユニットコネクターを、筐体コネクターに接続した状態を示す概略側面図である。
【図１１】ユニット側支持部材からユニットコネクターを取り外している状態を示す外観斜視図である。
【図１２】ユニット側支持部材からユニットコネクターを取り外している状態を示す外観斜視図である。
【符号の説明】
【００４６】
S  遊技機                              1  筐体
2  交換ユニット                        3  前扉
4  電源ユニット                          5  払い出し装置
6  扉一体型交換ユニット                7  扉ロック機構
10  固定装置                            11  正面開口部
12  中板                                13  開口上部
14  開口下部                            15  底板
16  側板                                17  天板
18  奥板                                19  四角枠部材
20  リールユニット                      21  枠
23  回転リール                          24  基板ユニット
25  主制御装置                          26  基板ケース
30  上扉                                31  表示窓
32  表示装置                            33  飾り部
35  係合クリップ                        36  フック部
40  下扉                                41  操作部
42  媒体投入口                          43  受け皿
44  鍵穴                                48  媒体セレクター
49  スピーカー                          50  前パネル
60  枠体係合部                          61  上扉係合部
62  本体係合部                          63  下扉係合部
69  ロック突出片                        80  ガイド
90  筐体コネクター                      91  筐体ケーブル
100  移動検知手段                      101  リセット作動スイッチ
102  押さえ板                          103  ばね
104  上接続端子                        105  下接続端子
106  上ケーブル                        107  下ケーブル
108  下突出板                          109  ガイド溝
110  電源オフ手段                      121  ガイドピン
122  幅大孔                            123  幅小孔
130  リセット機能付きスイッチ          140  ガイドローラー
200  ユニットコネクター                201  ユニットケーブル
210  支持部材                          220  ユニット側支持部材
221  ユニット側支持片                  222  ユニット側支持本体
225  コネクター固定孔                  230  筐体側支持部材
240  ユニット内接続端子                300  電源操作スイッチ
【図１】
2006263215.tif 000003
【図２】
2006263215.tif 000004
【図３】
2006263215.tif 000005
【図４】
2006263215.tif 000006
【図５】
2006263215.tif 000007
【図６】
2006263215.tif 000008
【図７】
2006263215.tif 000009
【図８】
2006263215.tif 000010
【図９】
2006263215.tif 000011
【図１０】
2006263215.tif 000012
【図１１】
2006263215.tif 000013
【図１２】
2006263215.tif 000014